(57)【要約】【課題】  簡易な作業により疎通障害を与えることなく回線の確認試験を行うことができ、また、作業者の精神的負担も軽減することが可能な簡易型回線確認装置を提供する。【解決手段】  簡易型回線確認装置４は、通信装置に設けられた弾器ジャック１に装着可能であり、送信回線および受信回線の信号の伝送を維持しつつ信号を取得する送信回線接続用端子１７ａ，１８ａ，１７ｂ，１８ｂおよび受信回線接続用端子１７ｃ，１８ｃ，１７ｄ，１８ｄを備えた弾器プラグ１２と、送信回線接続用端子および受信回線接続用端子に接続可能なハイインピーダンススピーカ１３と、ハイインピーダンススピーカ１３が接続する弾器プラグの端子を送信回線接続用端子か受信回線接続用端子に切り替える回線切替部１４とを具備する。ハイインピーダンススピーカ１３に代えてクリスタルイヤホンを用いてもよい。【選択図】        図３
2007049321.tif 000002
【特許請求の範囲】
【請求項１】
通信装置に設けられた弾器に装着可能であり、通信回線の信号の伝送を維持しつつ前記信号を取得する複数の端子を備えた弾器用接続部と、
前記複数の端子に接続可能であり、電気信号を音響信号に変換するハイインピーダンスの電気音響変換器と、
前記電気音響変換器が接続する前記端子を切り替える回線切替部と
を具備することを特徴とする簡易型回線確認装置。
【請求項２】
通信装置に設けられた弾器ジャックに装着可能であり、送信回線および受信回線の信号の伝送を維持しつつ前記信号を取得する送信回線接続用端子および受信回線接続用端子を備えた弾器プラグと、
前記送信回線接続用端子および前記受信回線接続用端子に接続可能であり、電気信号を音響信号に変換するハイインピーダンスの電気音響変換器と、
前記電気音響変換器が接続する前記弾器プラグの端子を前記送信回線接続用端子か前記受信回線接続用端子に切り替える回線切替部と
を具備することを特徴とする簡易型回線確認装置。
【請求項３】
前記ハイインピーダンスの電気音響変換器は、ハイインピーダンススピーカであることを特徴とする請求項１又は２記載の簡易型回線確認装置。
【請求項４】
前記ハイインピーダンスの電気音響変換器は、ハイインピーダンスイヤホンであることを特徴とする請求項１又は２記載の簡易型回線確認装置。
【発明の詳細な説明】
【技術分野】
【０００１】
本発明は、搬送端局装置等の通信装置に設けられた弾器ジャックに装着されて回線の確認試験を行うために有用な簡易型回線確認装置に関する。
【背景技術】
【０００２】
多重無線装置や光ファイバケーブルで信号を伝送するために、信号を多重化して送出したり、多重化した信号を受信側で元の信号に分離する搬送端局装置が設けられている。この搬送端局装置は、その通話路盤（チャンネルシート）に弾器コードの弾器プラグが装着可能な弾器ジャックが設けられ、この弾器ジャックに装着された弾器コードを介してライン側接続線と装置側接続線とをテスト盤に接続し、このテスト盤に試験コードを介して接続された試験器により回線の音声試験等が行われるようになっている（例えば、特許文献１参照）。
【特許文献１】特開平７ー１４３５２７号公報
【発明の開示】
【発明が解決しようとする課題】
【０００３】
しかしながら、従来の構成においては、図６に示されるように、搬送端局装置３の弾器ジャック１とテスト盤２１の弾器ジャック２２とを弾器コード２３で接続し、また、テスト盤２１と測定器２４（音声モニター測定器２４ａ，レベル計２４ｂ等）とを試験コード２５で接続する必要があり、複数の配線接続を行う作業の過程で人為的ミスにより回線疎通障害のおそれがある。
【０００４】
特に、一般的な通話路盤に設けられる弾器ジャック１とテスト盤２１に設けられる弾器ジャック２２は、ばね板状の複数の対をなす接触片からなる端子を有し、それぞれの対をなす接触片が自身の弾力で互いに弾接した構造を有しており、また、弾器コード２３の両端部に設けられる弾器プラグ２３ａ，２３ｂは、弾器ジャック１，２２の接触片間に挿入される突部の両側面に非接触の対をなす接触子を設けて構成されている。したがって、弾器コード２３の装着手順は、テスト盤２１の弾器ジャック２２に弾器コード２３の一方の弾器プラグ２３ａを装着し、その後、弾器コード２３の他方の弾器プラグ２３ｂを通話路盤の弾器ジャック１に装着する必要があり、この順序を誤ると、ライン側接続線と装置側接続線との回線が断となり、通信障害を引き起す不都合がある。このため、従来の回線確認作業は殊の外慎重に行う必要があり、作業者の精神的負担は大きなものであった。
【０００５】
本発明は、かかる事情に鑑みてなされたものであり、簡易な作業により疎通障害を与えることなく回線の確認試験を行うことができ、また、作業者の精神的負担を軽減することが可能な簡易型回線確認装置を提供することを主たる課題としている。
【課題を解決するための手段】
【０００６】
上記課題を達成するために、この発明に係る簡易型回線確認装置は、通信装置に設けられた弾器に装着可能であり、通信回線の信号の伝送を維持しつつ前記信号を取得する複数の端子を備えた弾器用接続部と、前記複数の端子に接続可能であり、電気信号を音響信号に変換するハイインピーダンスの電気音響変換器と、前記電気音響変換器が接続する前記端子を切り替える回線切替部とを具備することを特徴としている（請求項１）。
【０００７】
このような構成においては、通信装置に設けられた弾器に簡易型回線確認装置の弾器用接続部を装着すれば、回線切替部により選択された弾器用接続部の端子から、通信回線の信号が今までの伝送状態に影響を与えることなく取得されてハイインピーダンスの電気音響変換器へ送られる。このため、電気音響変換器から発する音の大きさや種類などを判別することで、音声試験を簡易に行うことが可能となる。
【０００８】
より具体的な構成としては、通信装置に設けられた弾器ジャックに装着可能であり、送信回線および受信回線の信号の伝送を維持しつつ前記信号を取得する送信回線接続用端子および受信回線接続用端子を備えた弾器プラグと、前記送信回線接続用端子および前記受信回線接続用端子に接続可能であり、電気信号を音響信号に変換するハイインピーダンスの電気音響変換器と、前記電気音響変換器が接続する前記弾器プラグの端子を前記送信回線接続用端子か前記受信回線接続用端子に切り替える回線切替部とを具備する構成にしてもよい（請求項２）。
【０００９】
ここで、ハイインピーダンスの電気音響変換器は、ハイインピーダンススピーカを用いても（請求項３）、インピーダンスが高いことで知られるクリスタルイヤホン等のハイインピーダンスイヤホンを用いてもよい（請求項４）。
【発明の効果】
【００１０】
以上述べたように、本発明によれば、通信装置に設けられた弾器（弾器ジャック）に弾器用接続部（弾器プラグ）を装着すれば、回線切替部によって選択された弾器用接続部（弾器プラグ）の端子から、通信回線（送信回線又は受信回線）の信号が電気信号を音響信号に変換するハイインピーダンスの電気音響変換器（ハイインピーダンススピーカやハイインピーダンスイヤホン）へ送られるので、電気音響変換器から発する音の大きさや種類などを判別することで音声試験等を行うことができ、簡易な作業にて回線の確認試験を行うことが可能となる。
【００１１】
また、回線切替部によって選択された端子から、通信回線の信号が、回線の伝送を維持したまま取得されるので、通信回線の疎通阻害を起こすことがなく、作業者の精神的負担を軽減することが可能となる。
【発明を実施するための最良の形態】
【００１２】
以下、本発明の最良の実施形態を添付図面を参照しながら説明する。
【００１３】
図１において、弾器ジャック１が設けられた通話路盤２を有する搬送端局装置３の多重変換群の一部と本発明に係る簡易型回線確認装置４とが示されている。
【００１４】
弾器ジャック１は、通話路盤２の伝送路の途中に設けられているもので、各弾器ジャック１は、図２（ａ）及び図３にも示されるように、ライン側接続線５ａ〜５ｆと装置側接続線６ａ〜６ｆとにそれぞれ接続されたばね板状の複数対の接触片で構成された端子７ａ〜７ｆ，８ａ〜８ｆが並設され、通常においては、各対をなす対向した接触片（端子７ａと８ａ，７ｂと８ｂ，７ｃと８ｃ，７ｄと８ｄ，７ｅと８ｅ，７ｆと８ｆ）が自身の弾力によって弾接した状態にあり、物理的にも電気的にも接続状態となっている。また、下記する弾器プラグ１２が弾器ジャック１に装着されると、接触片間に挿入された弾器プラグの突部により接触片（端子７ａ〜７ｄ，８ａ〜８ｄ）の接続状態が物理的に分離されるようになっている。
【００１５】
ここで、弾器ジャック１の端子は、４線式（４Ｗ）の場合であれば、端子７ａ，８ａが４ＷＳ（Four Wire Send pair:送信回線）のＴ（送信）に、端子７ｂ、８ｂが４ＷＳのＲ（受信）に、端子７ｃ、８ｃが４ＷＲ（Four Wire Receive pair:受信回線）のＴ（送信）に、端子７ｄ、８ｄが４ＷＲのＲ（受信）に、端子７ｅ、８ｅがＳＳ（信号送信）に、端子７ｆ、８ｆがＳＲ（信号受信）にそれぞれ対応している。
【００１６】
これに対して、簡易型回線確認装置４は、携帯型のもので、筐体１１の一端部に設けられて、弾器ジャック１に着脱自在に装着される弾器プラグ１２と、筐体１１に固定されたハイインピーダンススピーカ１３と、このハイインピーダンススピーカ１３が接続する弾器プラング１２の端子を選択的に切り替える回線切替部１４とを有して構成されている。
【００１７】
弾器プラグ１２は、図２（ｂ）、図３にも示されるように、弾器ジャック１の接触片間に挿入される突部１５に固定された複数対の細幅な接触子からなる端子（端子１７ａ〜１７ｄ，１８ａ〜１８ｄ）を備え、各対をなす接触子（端子１７ａと１８ａ，１７ｂと１８ｂ，１７ｃと１８ｃ，１７ｄと１８ｄ）は、突部１５の両側に離間して設けられており、弾器ジャック１に装着された状態において、接触子（端子１７ａ〜１７ｄ，１８ａ〜１８ｄ）が接触片（端子７ａ〜７ｄ，８ａ〜８ｄ）によって弾性的に挟持されるようになっている。
【００１８】
弾器プラグの接触子（端子１７ａ〜１７ｄ，１８ａ〜１８ｄ）は、弾器ジャックの４ＷＳ（Four Wire Send pair:送信回線）のＴ（送信）とＲ（受信）、４ＷＲ（Four Wire Receive pair:受信回線）のＴ（送信）とＲ（受信）の各端子（端子７ａ〜７ｄ，８ａ〜８ｄ）に対応した箇所にのみ設けられ、弾器ジャック１のこれらの対をなす端子（７ａ〜７ｄ，８ａ〜８ｄ）のみを物理的に分離すると共にこれらの弾器ジャック１の端子（７ａ〜７ｄ，８ａ〜８ｄ）のみに物理的および電気的に接続するようになっている。
【００１９】
即ち、弾器プラグ１２は、送信回線（弾器ジャックの４ＷＳのＴとＲ）に接続可能な送信回線接続用端子（端子１７ａ，１８ａ，１７ｂ，１８ｂ）と、受信回線（弾器ジャックの４ＷＲのＴとＲ）に接続可能な受信回線接続用端子（端子１７ｃ，１８ｃ，１７ｄ，１８ｄ）とを有し、弾器プラグ１２のそれぞれの対をなす端子は、末端部分で電気的に導通し、回線切替部１４の接点Ａ〜Ｄに接続されている（端子１７ａ，１８ａは接点Ａに、端子１７ｂ、１８ｂは接点Ｂに、端子１７ｃ，１８ｃは接点Ｃに、端子１７ｄ、１８ｄは接点Ｄにそれぞれ接続されている）。
【００２０】
回線切替部１４は、操作部をスライドさせたりレバーを傾動させて接点を切り替えるスライドスイッチやレバースイッチ等からなる操作スイッチ１９で構成され、ハイインピーダンススピーカ１３が電気的に接続される接点Ｅ，Ｆを、送信回線接続用端子（端子１７ａ，１８ａ，１７ｂ，１８ｂ）に接続される接点（Ａ，Ｂ）または受信回線接続用端子（端子１７ｃ，１８ｃ，１７ｄ，１８ｄ）に接続される接点（Ｃ，Ｄ）に選択的に導通させるように切り替える。即ち、回線切替部１４により、ハイインピーダンススピーカ１３が接続する弾器プラグ１２の端子を送信回線接続用端子（端子１７ａ，１８ａ，１７ｂ，１８ｂ）か受信回線接続用端子（端子１７ｃ，１８ｃ，１７ｄ，１８ｄ）に切り替えるようにしている。
【００２１】
ハイインピーダンススピーカ１３は、回線から取得した信号を増幅する増幅回路と共に設けられるものであってもよいが、この例においては、増幅回路を設けずに回線切替部１４を介して通信回線に直接接続可能となっており、回線が落ちたりノイズが混入しないように十分に高いインピーダンスを有するものが用いられる。
【００２２】
上述した構成において、搬送端局装置３に設けられた弾器ジャック１に簡易型回線確認装置４の弾器プラグ１２を装着すれば、弾器ジャック１の接触片（端子７ａ〜７ｆ，８ａ〜８ｆ）は、弾器プラグ１２の突部１５によって押し広げられて物理的に分離し、間を置かずに対をなす接触子（端子１７ａ〜１７ｄ，１８ａ〜１８ｄ）に接触される。それぞれの対をなす接触子は電気的に接続された状態にあるため、通話路盤の伝送路を断にすることなく弾器ジャック１の端子（７ａ〜７ｄ，８ａ〜８ｄ）と弾器プラグ１２の端子（１７ａ〜１７ｄ，１８ａ〜１８ｄ）とが接続される。このため、回線切替部１４によって選択された回線の信号は、回線から分岐してハイインピーダンススピーカ１３にも送られるので、使用中の通信回線を伝送する信号を維持しつつこの信号を取得することが可能となり、通信状態に応じた音声がハイインピーダンススピーカ１３から出力される。したがって、ハイインピーダンススピーカ１３から出力される音の大きさや種類などを判別することで、音声試験を行うことが可能となる。
【００２３】
このように、上述の構成においては、搬送端局装置３の弾器ジャック１とテスト盤とを弾器コードで接続し、また、テスト盤と測定器とを試験コードで接続する従来の作業が不要となるので、回線確認作業が簡易に行え、作業過程のミスによる回線疎通障害を防ぐことが可能となる。
【００２４】
また、弾器ジャック１に簡易型回線確認装置４の弾器プラグ１２を装着しさえすれば、ライン側接続線と装置側接続線との回線を断にすることなく音声試験を行うことができるので、作業者の精神的負担を大幅に軽減することが可能となる。
【００２５】
以上の構成においては、音声を出力させる装置として、筐体１１に取り付けられたハイインピーダンススピーカ１３を用いる構成例を示したが、図４及び図５に示されるように、ハイインピーダンススピーカの代わりにクリスタルイヤホン２０（ハイインピーダンスイヤホン）を利用してもよい。このクリスタルイヤホン２０は、イヤホンコード２０ａを回線切替部１４に対して外れないように接合するものであっても、イヤホンジャックを設けて着脱可能に取り付けるようにしてもよい。なお、他の構成は、前記構成例と同様であるので、同一箇所に同一符号を付して説明を省略する。
【００２６】
このような構成においては、スピーカを取り付けるスペースが不要となるので、簡易型回線確認装置４の小型化を図ることができ、また、通常、クリスタルイヤホン２０は、インピーダンスが高いので、回線に影響を与えることもない。また、クリスタルイヤホン２０は作業者の耳に直接取り付けられるので大きな音声出力が必要とならず、周りの騒音を気にせずに回線確認試験が行えるので誤診断を低減することも可能となる。
【図面の簡単な説明】
【００２７】
【図１】図１は、弾器ジャックが設けられた搬送端局装置の多重変換群の一部と簡易型回線確認装置とを示す図である。
【図２】図２（ａ）は弾器ジャックを示す正面図であり、図２（ｂ）は簡易型回線確認装置の弾器プラグを示す正面図である。
【図３】図３は、図２で示す簡易型回線確認装置を弾器ジャックに接続した状態を示すブロック図である。
【図４】図４は、簡易型回線確認装置の他の構成例を示す斜視図である。
【図５】図５は、図４で示す簡易型回線確認装置を弾器ジャックに接続した状態を示すブロック図である。
【図６】図６は、従来の回線確認試験を説明するための説明図である。
【符号の説明】
【００２８】
１  弾器ジャック
４  簡易型回線確認装置
１２  弾器プラグ
１３  ハイインピーダンススピーカ
１４  回線切替部
１７ａ，１８ａ，１７ｂ，１８ｂ  送信回線接続用端子
１７ｃ，１８ｃ，１７ｄ，１８ｄ  受信回線接続用端子
２０  クリスタルイヤホン
【図１】
2007049321.tif 000003
【図２】
2007049321.tif 000004
【図３】
2007049321.tif 000005
【図４】
2007049321.tif 000006
【図５】
2007049321.tif 000007
【図６】
2007049321.tif 000008